(57)【要約】【課題】梱包箱を吊り下げ形の用途と標準形の用途の２通りの用途に共用可能とするとともに、吊り下げ棒への吊り下げ時における梱包箱の傾きや上蓋の外れを防止すること。【解決手段】後面部材１と、前面部材２と、側面部材と、を備え、前面部材の端部から延在する上蓋１０と、上蓋から延在する延在片３１と、上蓋と延在片との間に形成された挿入孔３０と、を設け、後面部材の端部から延在する第１延在部１７、第２延在部１８、第３延在部１９が順に設けられるとともに各延在部間に第１折り曲げ部３２、第２折り曲げ部８、第３折り曲げ部２７をそれぞれ形成し、後面部材端部の略中央部分において後面部材及び第１延在部の一部を切り欠き、切り欠かれた後面部材及び第１延在部が後面部材で折り曲げ可能であり且つ舌片２０，２１を形成し、舌片２１を挿入孔３０に挿入することによって上蓋を固定すること。【選択図】        図５
2004189234.tif 000002
【特許請求の範囲】
【請求項１】
薄板材を複数回折り曲げて略直方体を形成する吊り下げ付き梱包箱において、
後面部を形成する後面部材と、前記後面部材に対向する位置にある前面部材と、前記後面部材と前記前面部材の間に位置する側面部材と、を備え、
前記前面部材の端部から延在する上蓋と、前記上蓋から延在する延在片と、前記上蓋と延在片との間に形成された折り曲げ部の略中央部に設けられた挿入孔と、を設け、
前記後面部材の端部から延在する第１延在部、第２延在部、第３延在部が順に設けられ、前記後面部材端部と前記第１延在部の間、前記第１延在部と前記第２延在部の間、前記第２延在部と前記第３延在部の間に第１折り曲げ部、第２折り曲げ部、第３折り曲げ部をそれぞれ形成し、
前記後面部材端部の略中央部分において前記後面部材及び前記第１延在部の一部を切り欠き、切り欠かれた後面部材及び第１延在部が前記後面部材で折り曲げ可能であり且つ舌片を形成し、
前記側面部材の端部から延在する内蓋を設け、
前記舌片を前記挿入孔に挿入することによって前記上蓋を固定する
ことを特徴とする吊り下げ付き梱包箱。
【請求項２】
請求項１において、
前記第２折り曲げ部で折り曲げて前記第２延在部及び前記第３延在部を前記後面部材に沿うようにして吊り下げ片を構成することによって吊り下げ形の梱包箱を形成する
ことを特徴とする吊り下げ付き梱包箱。
【請求項３】
請求項１において、
前記第１折り曲げ部において前記第１延在部、前記第２延在部及び前記第３延在部を前記前面部材の方向に折り曲げた後に、前記上蓋で覆うことによって標準形の梱包箱を形成する
ことを特徴とする吊り下げ付き梱包箱。
【請求項４】
請求項２において、
前記第１折り曲げ部と前記第３折り曲げ部との位置が合致することを特徴とする吊り下げ付き梱包箱。
【発明の詳細な説明】
【０００１】
【発明の属する技術分野】
本発明は、被収納体を収納する梱包箱に関し、特に、標準形と吊り下げ形の２通りの用途に共用可能な梱包箱に関する。
【０００２】
【従来の技術】
従来技術における吊り下げ付き梱包箱の構造及び機能について、図１０〜図１４を用いて説明する。図１０は従来技術の吊り下げ付き梱包箱における組立後の斜視図を示し、図１１は従来技術の吊り下げ付き梱包箱の展開図を示し、図１２は従来技術の吊り下げ付き梱包箱に被収納体を収納する過程を示す斜視図であり、図１３は従来技術の吊り下げ付き梱包箱で上蓋が開く状況を示す図であり、図１４は従来技術の吊り下げ付き梱包箱を吊り下げ棒に吊したとき梱包箱が傾く状況を示す図である。
【０００３】
従来技術の吊り下げ付き梱包箱ａは、図１２に示すように略直方体に形成された構造を有し、且つ吊り下げ孔５．６を有している。被収納体１４を緩衝材１３へ挿入した後に天蓋１５で被収納体を押さえた後、梱包箱ａに収納し、更に、吊り下げ棒１６に通して陳列していた（図１４を参照）。
【０００４】
更に詳細に云えば、図１１と図１２を参照して、吊り下げ孔５を有する後面部材１端部とこの端部から延在した延在部４との間に設けられた折り曲げ部８（図１１の点線）で延在部４を折り曲げて折り重ね、吊り下げ孔５と６を合致させた後に、左右の内蓋３と７を内側に折り曲げ、前面部材２から延在した上蓋１０を折り曲げ部９（図１１の点線）で後面部材１方向へ折り曲げ、さらに差し込み片１１を上蓋１０と差し込み片１１の間に設けられた折り曲げ部１２（図１１の点線）で折り曲げた後に、図１０に示すように後面部材１方向へ差し込み固定していた。
【０００５】
また、従来技術として、フック片を介して吊り下げ棚に物品を吊り下げるための懸垂用梱包箱において、フック片の破れを防止する具体的構造が開示されている（例えば、特許文献１参照）。この従来技術によれば、収納口を閉塞する蓋片に対し、下方から当接係止する係止片がフック片に一体に設けられている。
【０００６】
【特許文献１】
特開平１０−８６９３４号公報
【０００７】
【発明が解決しようとする課題】
しかしながら、上述した従来技術では、梱包箱ａの運搬時や吊り下げ棒１６に吊るした時の被収納体の重さによって、図１３に示すように、差し込み片１１が後面部材１から外れ、上蓋１０が開いて、緩衝材１３、被収納体１４及び天蓋１５が梱包箱ａから脱落する事故が生じていた。
【０００８】
また、図１４に示すように、吊り下げ孔５，６へ吊り下げ棒１６を通して陳列した際に、被収納体の偏重心により梱包箱ａに傾きが生じて、吊り下げ棒への収容確保数を低下させ、また陳列の整列性にも課題があった。
【０００９】
また、上述した特許文献１は、吊り下げ形の梱包箱を前提としたものであって、フック片の破れ防止のための技術であり、標準形の梱包箱としても用いることを意図したものではなく、その用途が限定されていた。
【００１０】
本発明の目的は、梱包箱を吊り下げ形の用途と標準形の用途の２通りの用途に共用可能とするとともに、吊り下げ棒への吊り下げ時における梱包箱の傾きや上蓋の外れを防止することにある。
【００１１】
【課題を解決するための手段】
前記課題を解決するために、本発明は主として次のような構成を採用する。  薄板材を複数回折り曲げて略直方体を形成する吊り下げ付き梱包箱において、後面部を形成する後面部材と、前記後面部材に対向する位置にある前面部材と、前記後面部材と前記前面部材の間に位置する側面部材と、を備え、
前記前面部材の端部から延在する上蓋と、前記上蓋から延在する延在片と、前記上蓋と延在片との間に形成された折り曲げ部の略中央部に設けられた挿入孔と、を設け、
前記後面部材の端部から延在する第１延在部、第２延在部、第３延在部が順に設けられ、前記後面部材端部と前記第１延在部の間、前記第１延在部と前記第２延在部の間、前記第２延在部と前記第３延在部の間に第１折り曲げ部、第２折り曲げ部、第３折り曲げ部をそれぞれ形成し、
前記後面部材端部の略中央部分において前記後面部材及び前記第１延在部の一部を切り欠き、切り欠かれた後面部材及び第１延在部が前記後面部材で折り曲げ可能であり且つ舌片を形成し、
前記側面部材の端部から延在する蓋を設け、
前記舌片を前記挿入孔に挿入することによって前記上蓋を固定する構成とする。
【００１２】
また、前記構成において、前記第２折り曲げ部で折り曲げて前記第２延在部及び前記第３延在部を前記後面部材に沿うようにして吊り下げ片を構成することによって吊り下げ形の梱包箱を形成する。
【００１３】
また、前記構成において、前記第１折り曲げ部において前記第１延在部、前記第２延在部及び前記第３延在部を前記前面部材の方向に折り曲げた後に、前記上蓋で覆うことによって標準形の梱包箱を形成する。
【００１４】
このような構成を採用することによって、梱包箱を吊り下げ形の用途と標準形の用途の２通りの用途に共用可能とすることができ、梱包箱の上蓋の外れを防止することができる。
【００１５】
【発明の実施の形態】
本発明の実施形態に係る吊り下げ付き梱包箱について、図１〜図９を参照しながら以下説明する。図１は本発明の実施形態に係る標準形の梱包箱における組立後の斜視図（図４のＡ方向からみた組立図）であり、図２は本発明の実施形態に係る吊り下げ形の梱包箱における組立後の斜視図（図５のＢ方向からみた組立図）である。また、図３は本発明の実施形態に係る吊り下げ付き梱包箱の展開図である。図４は本発明の実施形態に係る標準形の梱包箱における組立過程を示す斜視図であり、図５は本発明の実施形態に係る吊り下げ形の梱包箱における組立過程を示す斜視図である。
【００１６】
また、図６は図１のＡ−Ａ断面を示す図であり、図７は図２のＢ−Ｂ断面を示す図である。図８は本発明の実施形態に係る吊り下げ付き梱包箱に被収納体を挿入する過程を示す斜視図であり、図９は本実施形態に係る吊り下げ付き梱包箱を吊り下げ棒に吊した状態を示す図である。
【００１７】
ここで、ａは梱包箱、アは孔、１は後面部材、２は前面部材、３，７は内蓋、５，６は吊り下げ孔、８は第２折り曲げ部、９，２８は折り曲げ部、１０は上蓋、１３は緩衝材、１４は被収納体、１５は天蓋、１７は第１延在部、１８は第２延在部、１９は第３延在部、２０，２１は舌片、２７は第３折り曲げ部、３１は延在片、３２は第１折り曲げ部、をそれぞれ表す。
【００１８】
図８と図３を参照して説明すると、本発明の実施形態に係る吊り下げ付き梱包箱は、薄板材から成る略直方体に形成された梱包箱ａであり、後面部を形成する後面部材１と、後面部材１に対向する位置にある前面部材２と、後面部材１と前面部材２の間に位置する側面部材と、前面部材２の端部から延在する上蓋１０と、上蓋１０から延在する延在片３１と、前記上蓋１０と延在片３１との間に形成された折り曲げ部２８の略中央部に設けられた孔２９、３０と、を備えている。
【００１９】
更に、梱包箱ａは、後面部材１の端部から延在する第１延在部１７、第２延在部１８、第３延在部１９が順に設けられ、後面部材１端部と第１延在部１７の間、第１延在部１７と第２延在部１８の間、第２延在部１８と第３延在部１９の間にそれぞれ第１折り曲げ部３２、第２折り曲げ部８、第３折り曲げ部２７をそれぞれ形成している。また、梱包箱ａは、後面部材１端部の略中央部分で後面部材１及び第１延在部１７の一部周囲に切り欠き３３を設け、切り欠かれた後面部材１及び第１延在部が後面部材中央部２２で折り曲げ可能で、且つ後面部材１より延在された舌片２０，２１を備えている。また、梱包箱ａには、前面部材２の上蓋１０及び第１延在部１７、第２延在部１８及び第３延在部１９に対応して、前記側面部材から延在する内蓋３，７が折り曲げ可能に形成されている。
【００２０】
また、図５と図７を参照すると、梱包箱ａには、後面部材１から延在する舌片２０，２１の存在する方向に後面部材１端部１から延在した第１延在部１７、第２延在部１８及び第３延在部１９が形成され、第１延在部１７と第２延在部１８の間に設けられた第２折り曲げ部８で第２延在部１８及び第３延在部１９が折り返され、後面部材１方向に折り曲げ貫通する孔（ア）が後面部材１端部と第１延在部１７に設けられている。
【００２１】
次に、標準形の梱包箱ａを形成する形成方法について、図４と図６を参照しながら説明する。まず、内蓋３，７を予め内側へ折り曲げた後、後面部材１端部から延在した第１延在部１７、第２延在部１８及び第３延在部１９を第１折り曲げ部３２で前面部材２の方向（矢印方向）に折り曲げ、その後に前面部材２から延びた上蓋１０で蓋をする。更に、図６に詳記するように、前面部材２端部から延在した上蓋１０と延在片３１の間の折り曲げ部２８を略直角に折り曲げ、延在片１０に形成された孔３０へ後面部材１端部で折り曲げ可能な舌片２１を挿入し、この舌片２１の孔３０への挿入で上蓋１０が固定されて標準形の梱包箱が形成される。標準形の梱包箱形成後の構造を図１に示す。
【００２２】
次に、吊り下げ形の梱包箱ａを形成する形成方法について、図５と図７を参照しながら説明する。後面部材１端部から延在した第１延在部１７、第２延在部１８及び第３延在部１９を第２折り曲げ部８を中心に略１８０度矢印方向へ後面部材１に沿うように折り曲げる。この折り曲げによって第１延在部１７、第２延在部１８及び第３延在部１９が吊り下げ片を形成する。
【００２３】
上述した略１８０度の折り曲げにより、図７に詳記するように、吊り下げ孔５と６、５−ａと６−ａが合致し、後面部材１端部と第１延在部１７に貫通する孔（ア）が設けられる。その後、内蓋３，７を内側へ折り曲げることによって、第２折り曲げ部８を中心に折り曲げられた第１延在部１７、第２延在部１８及び第３延在部１９の折り曲げ形態を固定する。
【００２４】
更に、前面部材２端部から延在した上蓋１０及び延在片３１を後面部材１端部方向へ略９０度折り曲げて上蓋を形成する。その後、図７に詳記するように、上蓋１０と延在片３１の間の折り曲げ部２８を略直角に折り曲げることで形成された孔３０に対して、後面部材１端部で折り曲げ可能な舌片２１を挿入することによって上蓋１０が固定され、吊り下げ形の梱包箱ａが形成される。吊り下げ形の梱包箱形成後の構造を図２に示す。このように、舌片２１による上蓋１０の固定により、従来、上蓋１０が開くことで生じていた緩衝材１３、被収納体１４及び天蓋１５の脱落防止が可能となる。
【００２５】
また、上述したように吊り下げ形の梱包箱が組立てられると、図９に示すように、後面部材の端部における第１折り曲げ部３２と第２延在部１８と第３延在部１９の間の第３折り曲げ部２７とが組立て後に合致し、表側と裏側の両側での折り曲げが可能となる（図２と図７参照）。この第１折り曲げ部３２と第３折り曲げ部の折り曲げ部２７が合致することにより、第１折り曲げ部３２と第３折り曲げ部２７において梱包箱ａの重量バランスが保たれ、図１４に示すように従来生じていた、吊り下げ棒１６を通した陳列時の被収納体の偏重心による梱包箱ａの傾きを無くすることができる。
【００２６】
【発明の効果】
本発明によれば、薄板材使用による吊り下げ付き梱包箱は、箱組立の方法を多少変えるだけで、標準形と吊り下げ形の２通りの用途に簡単に共用可能にすることができる。
【００２７】
また、後面部材から延在される舌片を、前面部材の延在片における略９０度の折り曲げで形成された孔へ挿入することによって、梱包箱の上蓋を完全に固定でき、上蓋の外れによる梱包輸送時及び陳列時における被収納体の脱落を防止することができる。
【００２８】
また、後面部材からの延在部における第１折り曲げ部と第３折り曲げ部を合致することで重量バランスがとれて、吊り下げ時の陳列時に生じていた被収納体の偏重心による梱包箱の傾きを無くすることができ、展示効果の向上を図ることができる。
【図面の簡単な説明】
【図１】本発明の実施形態に係る標準形の梱包箱における組立後の斜視図（図４のＡ方向からみた組立図）である。
【図２】本発明の実施形態に係る吊り下げ形の梱包箱における組立後の斜視図（図５のＢ方向からみた組立図）である。
【図３】本発明の実施形態に係る吊り下げ付き梱包箱の展開図である。
【図４】本発明の実施形態に係る標準形の梱包箱における組立過程を示す斜視図である。
【図５】本発明の実施形態に係る吊り下げ形の梱包箱における組立過程を示す斜視図である。
【図６】図１のＡ−Ａ断面を示す図である。
【図７】図２のＢ−Ｂ断面を示す図である。
【図８】本発明の実施形態に係る吊り下げ付き梱包箱に被収納体を挿入する過程を示す斜視図である。
【図９】本実施形態に係る吊り下げ付き梱包箱を吊り下げ棒に吊した状態を示す図である。
【図１０】従来技術の吊り下げ付き梱包箱における組立後の斜視図である。
【図１１】従来技術の吊り下げ付き梱包箱の展開図である。
【図１２】従来技術の吊り下げ付き梱包箱に被収納体を収納する過程を示す斜視図である。
【図１３】従来技術の吊り下げ付き梱包箱で上蓋が開く状況を示す図である。
【図１４】従来技術の吊り下げ付き梱包箱を吊り下げ棒に吊したとき梱包箱が傾く状況を示す図である。
【符号の説明】
ａ  梱包箱
ア  孔
１  後面部材
２  前面部材
３，７  内蓋
５，６  吊り下げ孔
８  第２折り曲げ部
９，２８  折り曲げ部
１０  上蓋
１３  緩衝材
１４  被収納体
１５  天蓋
１７  第１延在部
１８  第２延在部
１９  第３延在部
２０，２１  舌片
２７  第３折り曲げ部
３１  延在片
３２  第１折り曲げ部
【図１】
2004189234.tif 000003
【図２】
2004189234.tif 000004
【図３】
2004189234.tif 000005
【図４】
2004189234.tif 000006
【図５】
2004189234.tif 000007
【図６】
2004189234.tif 000008
【図７】
2004189234.tif 000009
【図８】
2004189234.tif 000010
【図９】
2004189234.tif 000011
【図１０】
2004189234.tif 000012
【図１１】
2004189234.tif 000013
【図１２】
2004189234.tif 000014
【図１３】
2004189234.tif 000015
【図１４】
2004189234.tif 000016